(57)【特許請求の範囲】
【請求項１】
複数の電話端末を収容する複数の電話制御装置同士がＩＰ（Internet Protocol）網により接続されて構成され、前記複数の電話制御装置の内の１つがマスター電話制御装置となり、その他の電話制御装置がスレーブ電話制御装置となる電話システムであって、
前記マスター電話制御装置は、
前記複数の電話制御装置のそれぞれに収容された電話端末が、前記ＩＰ網を通じて他の前記電話制御装置に収容された電話端末と通信を行うために、前記複数の電話制御装置に提供すべきシステム情報を記憶する記憶手段と、
前記システム情報の内、予め決められるシステム情報の提供を受けて、前記記憶手段に登録する第１の登録手段と、
前記スレーブ電話制御装置から前記ＩＰ網を通じて送信されてくる自機宛の接続要求を受け付けて、当該接続要求に含まれる前記スレーブ電話制御装置のアドレスデータを前記記憶手段に登録する第２の登録手段と、
前記第２の登録手段による登録処理の後、前記接続要求元の前記スレーブ電話制御装置に対して、当該電話システムを構成する複数の電話制御装置のそれぞれについてのシステム情報を配布する第１の配布手段と、
前記第２の登録手段による登録処理の後、前記接続要求元以外の前記スレーブ電話制御装置のそれぞれに対して、前記接続要求元の前記スレーブ電話制御装置についてのシステム情報を配布する第２の配布手段と
を備え、
前記スレーブ電話制御装置のそれぞれは、
自機に収容された電話端末が、前記ＩＰ網を通じて他の前記電話制御装置に収容された電話端末と通信を行うために、自機が保持すべきシステム情報を記憶するシステム情報記憶手段と、
前記システム情報の内、予め決められるシステム情報の提供を受けて、前記システム情報記憶手段に登録する第３の登録手段と、
前記ＩＰ網を通じて前記マスター電話制御装置から送信されてくる前記システム情報に基づいて、前記システム情報記憶手段に情報を登録する第４の登録手段と
を備え、
前記接続要求元の前記スレーブ電話制御装置は、
前記ＩＰ網を通じて前記マスター電話制御装置にアクセスするための前記マスター電話制御装置の少なくともアドレスデータを記憶するマスター情報記憶手段と、
前記マスター情報記憶手段の前記マスター電話制御装置のアドレスデータにより特定される前記マスター電話制御装置に対して、自機のアドレスデータを提供して接続を要求する接続要求手段と
を備えることを特徴とする電話システム。
【請求項２】
請求項１に記載の電話システムであって、
前記記憶手段の前記システム情報には、前記複数の電話制御装置ごとの番号計画情報が含まれており、
前記マスター電話制御装置は、
前記接続要求元の前記スレーブ電話制御装置から番号計画に関する情報の受付手段を備え、
前記受付手段を通じて、番号計画がないことを示す通知を受け付けた場合に、前記第１の配布手段は、前記接続要求元の前記スレーブ電話制御装置に対して、前記記憶手段に用意されている前記接続要求元の前記スレーブ電話制御装置用の番号計画情報を含む、当該電話システムを構成する複数の電話制御装置のそれぞれについての番号計画情報を配布し、
前記受付手段を通じて、番号計画がないことを示す通知を受け付けた場合に、前記第２の配布手段は、前記接続要求元以外の前記スレーブ電話制御装置のそれぞれに対して、前記記憶手段に用意されている前記接続要求元の前記スレーブ電話制御装置用の番号計画情報を配布する
ことを特徴とする電話システム。
【請求項３】
請求項１に記載の電話システムであって、
前記記憶手段の前記システム情報には、前記複数の電話制御装置ごとの番号計画情報が含まれており、
前記マスター電話制御装置は、
前記接続要求元の前記スレーブ電話制御装置から番号計画に関する情報の受付手段と、
前記受付手段を通じて、前記接続要求元の前記スレーブ電話制御装置に設定された番号計画の提供を受け付けた場合に、前記記憶手段の前記システム情報に基づいて、受け付けた当該番号計画の利用が可能か否かを判別する判別手段と
を備え、
前記判別手段で受け付けた当該番号計画の利用が不能であると判別された場合に、前記第１の配布手段は、前記接続要求元の前記スレーブ電話制御装置に対して、前記記憶手段に用意されている前記接続要求元の前記スレーブ電話制御装置用の番号計画情報を含む、当該電話システムを構成する複数の電話制御装置のそれぞれについての番号計画情報を配布し、
前記判別手段において、受け付けた当該番号計画の利用が不能であると判別された場合に、前記第２の配布手段は、前記接続要求元以外の前記スレーブ電話制御装置のそれぞれに対して、前記記憶手段に用意されている前記接続要求元の前記スレーブ電話制御装置用の番号計画情報を配布し、
前記判別手段で受け付けた当該番号計画の利用が可能であると判別された場合に、前記第１の配布手段は、前記接続要求元の前記スレーブ電話制御装置に対して、当該番号計画の使用許可を通知すると共に、前記記憶手段に用意されている前記接続要求元以外の当該電話システムを構成する複数の電話制御装置のそれぞれについての番号計画情報を配布し、
前記判別手段で受け付けた当該番号計画の利用が可能であると判別された場合に、前記第２の配布手段は、前記接続要求元以外の前記スレーブ電話制御装置のそれぞれに対して、前記接続要求元の前記スレーブ電話制御装置用の番号計画情報を配布する
ことを特徴とする電話システム。
【請求項４】
複数の電話端末を収容する複数の電話制御装置同士がＩＰ（Internet Protocol）網により接続されて構成され、前記複数の電話制御装置の内の１つがマスター電話制御装置となり、その他の電話制御装置がスレーブ電話制御装置となる電話システムの前記マスター電話制御装置であって、
前記複数の電話制御装置のそれぞれに収容された電話端末が、前記ＩＰ網を通じて他の前記電話制御装置に収容された電話端末と通信を行うために、前記複数の電話制御装置に提供すべきシステム情報を記憶する記憶手段と、
前記システム情報の内、予め決められるシステム情報の提供を受けて、前記記憶手段に登録する第１の登録手段と、
前記スレーブ電話制御装置から前記ＩＰ網を通じて送信されてくる自機宛の接続要求を受け付けて、当該接続要求に含まれる前記スレーブ電話制御装置のアドレスデータを前記記憶手段に登録する第２の登録手段と、
前記第２の登録手段による登録処理の後、前記接続要求元の前記スレーブ電話制御装置に対して、当該電話システムを構成する複数の電話制御装置のそれぞれについてのシステム情報を配布する第１の配布手段と、
前記第２の登録手段による登録処理の後、前記接続要求元以外の前記スレーブ電話制御装置のそれぞれに対して、前記接続要求元の前記スレーブ電話制御装置についてのシステム情報を配布する第２の配布手段と
を備えることを特徴とするマスター電話制御装置。
【請求項５】
複数の電話端末を収容する複数の電話制御装置同士がＩＰ（Internet Protocol）網により接続されて構成され、前記複数の電話制御装置の内の１つがマスター電話制御装置となり、その他の電話制御装置がスレーブ電話制御装置となる電話システムの前記スレーブ電話制御装置であって、
前記ＩＰ網を通じて前記マスター電話制御装置にアクセスするための前記マスター電話制御装置の少なくともアドレスデータを記憶するマスター情報記憶手段と、
前記マスター情報記憶手段の前記マスター電話制御装置のアドレスデータにより特定される前記マスター電話制御装置に対して、自機のアドレスデータを提供して接続を要求する接続要求手段と、
自機に収容された電話端末が、前記ＩＰ網を通じて他の前記電話制御装置に収容された電話端末と通信を行うために、自機が保持すべきシステム情報を記憶するシステム情報記憶手段と、
前記システム情報の内、予め決められるシステム情報の提供を受けて、前記システム情報記憶手段に登録する第３の登録手段と、
前記ＩＰ網を通じて前記マスター電話制御装置から送信されてくる前記システム情報に基づいて、前記システム情報記憶手段に情報を登録する第４の登録手段と
を備えることを特徴とするスレーブ電話制御装置。
【請求項６】
複数の電話端末を収容する複数の電話制御装置同士がＩＰ（Internet Protocol）網により接続されて構成され、前記複数の電話制御装置の内の１つがマスター電話制御装置となり、その他の電話制御装置がスレーブ電話制御装置となる電話システムで用いられるシステム情報設定方法であって、
前記マスター電話制御装置においては、
前記複数の電話制御装置のそれぞれに収容された電話端末が、前記ＩＰ網を通じて他の前記電話制御装置に収容された電話端末と通信を行うために、前記複数の電話制御装置に提供すべきシステム情報を記憶する記憶手段に対して、第１の登録手段が、前記システム情報の内予め決められるシステム情報の提供を受けて登録する第１の登録工程と、
第２の登録手段が、前記スレーブ電話制御装置から前記ＩＰ網を通じて送信されてくる自機宛の接続要求を受け付けて、当該接続要求に含まれる前記スレーブ電話制御装置のアドレスデータを前記記憶手段に登録する第２の登録工程と、
前記第２の登録工程においての登録処理の後、第１の配布手段が、前記接続要求元の前記スレーブ電話制御装置に対して、当該電話システムを構成する複数の電話制御装置のそれぞれについてのシステム情報を配布する第１の配布工程と、
前記第２の登録工程においての登録処理の後、第２の配布手段が、前記接続要求元以外の前記スレーブ電話制御装置のそれぞれに対して、前記接続要求元の前記スレーブ電話制御装置についてのシステム情報を配布する第２の配布工程と
を有し、
前記スレーブ電話制御装置のそれぞれにおいては、
自機に収容された電話端末が、前記ＩＰ網を通じて他の前記電話制御装置に収容された電話端末と通信を行うために、自機が保持すべきシステム情報を記憶するシステム情報記憶手段の前記システム情報の内、第３の登録手段が、予め決められるシステム情報の提供を受けて、前記システム情報記憶手段に登録する第３の登録工程と、
前記ＩＰ網を通じて前記マスター電話制御装置から送信されてくる前記システム情報に基づいて、第４の登録手が、前記システム情報記憶手段に情報を登録する第４の登録工程と
を有し、
前記接続要求元の前記スレーブ電話制御装置においては、
接続要求手段が、前記ＩＰ網を通じて前記マスター電話制御装置にアクセスするための前記マスター電話制御装置の少なくともアドレスデータを記憶するマスター情報記憶手段の当該アドレスデータにより特定される前記マスター電話制御装置に対して、自機のアドレスデータを提供して接続を要求する接続要求工程を有することを特徴とするシステム情報設定方法。
【発明の詳細な説明】
【技術分野】
【０００１】
この発明は、例えば、複数の電話機が収容可能な電話制御装置が広域のネットワークを通じて複数接続されることにより形成される電話システム、当該電話システムを構成する電話制御装置及び当該電話システムで用いられるシステム情報設定方法に関する。
【背景技術】
【０００２】
近年、ボタン電話システム（ビジネスホンシステム）は、ＩＰ網（ＩＰ通信網）を経由して通話を行うことが可能なＩＰ電話に対応したものも提供されるようになってきている。ここで、ボタン電話システムは、主装置（電話制御装置）と複数の専用電話機とで会社内などの構内に形成されるいわゆる構内電話システムを意味する。また、ＩＰ電話は、ＶｏＩＰ技術により、音声をインターネットプロトコルに従ったパケットに変換して、ＩＰ網（主に、インターネット）を経由して送受することにより音声通話を行うものである。ＩＰ電話は、ＩＰ網を利用するため通信コストを低減させることができる。
【０００３】
そして、ＩＰ電話に対応したボタン電話システムであって、地理的に離れた例えば本社と支社のボタン電話システムとを接続して、当該本社と支社との間でも内線通話などをできるようにすることが行われている。ボタン電話システム間を、ＩＰ網を通じて接続するためには、各ボタン電話システムの主装置に対して、他のボタン電話システムの主装置のアドレスデータ（ＩＰアドレス等）を予め登録しておく必要がある。従来は、工事担当者等が手作業により、主装置に対してアドレスデータを登録していた。
【０００４】
しかし、工事担当者等が手作業により主装置に対してアドレスデータを登録していたのでは、手間や時間がかかり面倒である。特に、接続すべきボタン電話システムが増えるたびに、新たに増えたボタン電話システムの主装置と既存のボタン電話システムの主装置との双方に、未登録のボタン電話システムの主装置のアドレスデータを登録しなければならないので手間がかかる。この改善策として後に記す特許文献１には、ＤＴＭＦ（Dual Tone Multi Frequency）信号のアウトバンド通信によって他のボタン電話システムのアドレスデータを取得する発明が開示されている。
【０００５】
特許文献１に記載の発明では、まず、各ボタン電話システムの主装置に対して、他のボタン電話システムの主装置に割り当てられている電話番号を登録しておく。そして、他の主装置との間にＩＰ網を通じた通信路が接続されていない場合には、目的とする主装置に対して電話をかけた際に、ＤＴＭＦ（Dual Tone Multi Frequency）信号のアウトバンド通信によって当該目的とする主装置に割り当てられているアドレスデータを取得する。この取得したアドレスデータを用いて、ＩＰ網を通じて他の主装置との間に通信路を接続する。
【０００６】
このように、特許文献１に記載の発明では、固定的に利用される電話番号を用いて、目的とするボタン電話システムの主装置に電話を掛けて通話回線を接続し、この通話回線を通じて当該主装置に割り当てられているアドレスデータを自動的に入手できる。すなわち、工事担当者等の手を煩わせることなく他のボタン電話システムの主装置のアドレスデータの収集と登録が可能となる。しかも、例えば、停電などの影響を受けて、ボタン電話システムの主装置に割り当てられたアドレスデータが変わってしまった場合でも、簡単にアドレスデータの取得のし直しができるので便利である。
【先行技術文献】
【特許文献】
【０００７】
【特許文献１】特開２０１１−０７１８６８号公報
【発明の概要】
【発明が解決しようとする課題】
【０００８】
ところで、ＩＰ網を通じてボタン電話システム間を接続するために必要になるのは、アドレスデータだけではない。各ボタン電話システムの番号計画（内線番号等の使用計画）も登録しておく必要がある。各ボタン電話システムの主装置において、自システムの番号計画だけでなく、他システムの番号計画も登録されていないと、ボタン電話システム間においていわゆる内線通話を行うことができない。このため、特許文献１に記載の技術を用い、相手先に電話を掛けて接続した電話回線を通じて、ＤＴＭＦ信号のアウトバンド通信を用いて、当該相手先のボタン電話システムの番号計画を収集することも考えられる。
【０００９】
しかし、ＤＴＭＦ信号のアウトバンド通信は音声通信であるため、番号計画などのデータの伝送には時間がかかるという問題がある。また、特許文献１に記載の技術の場合、ボタン電話システム間を、ＩＰ網を通じて接続するためには、まず、所定のボタン電話システムが、ＩＰ網を通じて通信路を接続する他のボタン電話システムに電話を掛けてアドレスデータを取得する必要がある。このように、電話を掛けて電話回線を接続し、アドレスデータを取得するといった工程が必ず必要になり、ＩＰ網を通じて通信路を接続する手続きとしてはやや煩雑な面がある。また、目的とするボタン電話システムに電話を掛ける状況が生じないときには、ＩＰ網を通じて通信路も接続できない。
【００１０】
また、ＩＰ網を通じて通信路を接続する各ボタン電話システム間において、簡単に内線電話を掛けられるようにするためには、開番号方式よりも閉番号方式を採用することが望ましい。開番号方式は、システム番号＋内線番号により、相手先を特定して内線電話をかける方式をいう。システム番号は、「＃１、＃２、…」などのシステムを特定する番号であり、内線番号は、「１０００、１００１、…」などの各ボタン電話システム内での内線番号である。開番号方式の場合には、システム番号を用いるために、各ボタン電話システムで同じ内線番号の利用が可能である。すなわち、本社のボタン電話システムで内線番号「１０００」を用いる場合、支社のボタン電話システムでも同じ内線番号「１０００」の利用が可能である。なお、開番号方式の番号計画を用いるボタン電話機に関する発明は、例えば特開２００４−２６６５５４号公報に開示されている。
【００１１】
これに対して、閉番号方式は、システム番号は用いずに、ＩＰ網を通じて通信路を接続する全てのボタン電話システムでユニークな内線番号（重複のない内線番号）を用いる。このため、ボタン電話システム内の内線電話も、ボタン電話システム間の内線電話も、まったく区別することなく、ユニークな内線番号をダイヤルするだけで内線電話が掛けられる。しかし、閉番号方式の場合、ボタン電話システム間でユニークな内線番号を用いるために、各ボタン電話システムで共通に用いられるいわゆる内線特番（内線特殊番号）を除き、各ボタン電話システムにおいて同じ内線番号を重複して用いることができない。このため、ボタン電話システム間において、ＩＰ網を通じて通信路を接続する場合には、アドレスデータに加えて、閉番号方式の番号計画を、各ボタン電話システムに簡単に登録できるようにする必要がある。
【００１２】
以上のことに鑑み、この発明は、例えばＩＰ網などのネットワークを通じて接続される複数のボタン電話システムのそれぞれに対して、各ボタン電話システムが必要とするアドレスデータや例えば閉番号方式の番号計画データなどのシステム情報を適切に登録でき、ネットワークを通じたボタン電話システム間の接続を容易に行うことができるようにすることを目的とする。
【課題を解決するための手段】
【００１３】
上記課題を解決するため、請求項１に記載の発明の電話システムは、
複数の電話端末を収容する複数の電話制御装置同士がＩＰ（Internet Protocol）網により接続されて構成され、前記複数の電話制御装置の内の１つがマスター電話制御装置となり、その他の電話制御装置がスレーブ電話制御装置となる電話システムであって、
前記マスター電話制御装置は、
前記複数の電話制御装置のそれぞれに収容された電話端末が、前記ＩＰ網を通じて他の前記電話制御装置に収容された電話端末と通信を行うために、前記複数の電話制御装置に提供すべきシステム情報を記憶する記憶手段と、
前記システム情報の内、予め決められるシステム情報の提供を受けて、前記記憶手段に登録する第１の登録手段と、
前記スレーブ電話制御装置から前記ＩＰ網を通じて送信されてくる自機宛の接続要求を受け付けて、当該接続要求に含まれる前記スレーブ電話制御装置のアドレスデータを前記記憶手段に登録する第２の登録手段と、
前記第２の登録手段による登録処理の後、前記接続要求元の前記スレーブ電話制御装置に対して、当該電話システムを構成する複数の電話制御装置のそれぞれについてのシステム情報を配布する第１の配布手段と、
前記第２の登録手段による登録処理の後、前記接続要求元以外の前記スレーブ電話制御装置のそれぞれに対して、前記接続要求元の前記スレーブ電話制御装置についてのシステム情報を配布する第２の配布手段と
を備え、
前記スレーブ電話制御装置のそれぞれは、
自機に収容された電話端末が、前記ＩＰ網を通じて他の前記電話制御装置に収容された電話端末と通信を行うために、自機が保持すべきシステム情報を記憶するシステム情報記憶手段と、
前記システム情報の内、予め決められるシステム情報の提供を受けて、前記システム情報記憶手段に登録する第３の登録手段と、
前記ＩＰ網を通じて前記マスター電話制御装置から送信されてくる前記システム情報に基づいて、前記システム情報記憶手段に情報を登録する第４の登録手段と
を備え、
前記接続要求元の前記スレーブ電話制御装置は、
前記ＩＰ網を通じて前記マスター電話制御装置にアクセスするための前記マスター電話制御装置の少なくともアドレスデータを記憶するマスター情報記憶手段と、
前記マスター情報記憶手段の前記マスター電話制御装置のアドレスデータにより特定される前記マスター電話制御装置に対して、自機のアドレスデータを提供して接続を要求する接続要求手段と
を備えることを特徴とする。
【００１４】
この請求項１に記載の発明の電話システムによれば、マスター電話制御装置とスレーブ電話制御装置とからなる。マスター電話制御装置においては、システム情報を記憶する記憶手段を備え、予め決められるシステム情報については、事前に提供を受けて第１の登録手段により当該記憶手段に登録される。また、スレーブ電話制御装置からアドレスデータを含む接続要求を受け付けたときには、第２の登録手段により当該アドレスデータが当該記憶手段に登録される。
【００１５】
さらに、マスター電話制御装置において、第２の登録手段による登録処理の後には、第１、第２の配布手段が機能する。すなわち、第１の配布手段により、接続要求元のスレーブ電話制御装置に対して、当該電話システムを構成する複数の電話制御装置のそれぞれについてのシステム情報が配布される。また、第２の配布手段により、当該接続要求元以外のスレーブ電話制御装置のそれぞれに対して、当該接続要求元のスレーブ電話制御装置についてのシステム情報が配布される。
【００１６】
一方、スレーブ電話制御装置においては、システム情報記憶手段を備えており、予め決められるシステム情報については事前に提供を受けて、第３の登録手段により当該システム情報記憶手段に登録される。また、第４の登録手段により、ＩＰ網を通じてマスター電話制御装置から送信されてくるシステム情報に基づいて、当該システム情報記憶手段に情報が登録される。また、接続要求元のスレーブ電話制御装置においては、マスター電話制御装置の少なくともアドレスデータをマスター情報記憶手段に保持している。そして、接続要求手段により、マスター情報記憶手段のマスター電話制御装置のアドレスデータが用いられて、当該マスター電話制御装置に対して、自機のアドレスデータを提供して接続を要求することができるようになっている。
【００１７】
このようにして、マスター電話制御装置は、記憶手段にシステム情報を記憶し、また、スレーブ電話制御装置から提供されるシステム情報を当該記憶手段に登録して管理できる。そして、接続要求元のスレーブ電話制御装置と、その他のスレーブ電話制御装置とに、それぞれが必要とするシステム情報を適切に配布し、ＩＰ網を通じて通信路を接続し、通話回線を接続し、通話を行うことができるようにされる。
【発明の効果】
【００１８】
この発明によれば、ＩＰ網を通じて接続される複数のボタン電話システムのそれぞれに対して、各ボタン電話システムが必要とするアドレスデータや例えば閉番号方式の番号計画データなどのシステム情報を適切に登録でき、ＩＰ網を通じたボタン電話システム間の接続を容易に行うことができる。
【図面の簡単な説明】
【００１９】
【図１】実施の形態の電話システムの構成例を説明するためのブロック図である。
【図２】主装置１の構成例を説明するためのブロック図である。
【図３】アドレスデータ記憶部１０６の格納データの例を説明するための図である。
【図４】番号計画データ記憶部１０７の格納データの例を説明するための図である。
【図５】マスター主装置１Ａとスレーブ主装置１Ｂとの間に通信路を接続する場合のシーケンス図である。
【図６】支社２の主装置１Ｃが接続要求元となり、主装置１Ｃに自番号計画がない場合に通信路を接続する場合のシーケンス図である。
【図７】支社２の主装置１Ｃが接続要求元となり、主装置１Ｃに利用可能な自番号計画が存在する場合に通信路を接続する場合のシーケンス図である。
【図８】支社２の主装置１Ｃが接続要求元となり、主装置１Ｃに利用不能な自番号計画が存在する場合に通信路を接続する場合のシーケンス図である。
【図９】マスター主装置１Ａの電話機２Ａ（１）からスレーブ主装置１Ｂの電話機２Ｂ（１）に内線電話を掛ける場のシーケンス図である。
【発明を実施するための形態】
【００２０】
以下、図を参照しながら、この発明のシステム、装置、方法の実施の形態について説明する。以下に説明する実施の形態においては、地理的に離れた場所に設置される主装置（電話制御装置）同士を、電話会社が提供する電話網やＩＰ網などからなる広域ネットワークを通じて接続して形成する電話システムの場合を例にして説明する。
【００２１】
[電話システムの構成例]
図１は、この実施の形態の電話システムの構成例を説明するための図であり、この発明の電話システムの一実施の形態が適用されて構成されたものである。図１に示すように、この実施の形態の電話システムは、本社（東京）、支社１（東北）、支社２（関西）、…というように、地理的に離れた場所に設置された主装置（電話制御装置）１Ａ、１Ｂ、１Ｃ、…のそれぞれが、ＩＰ網２００Ａや電話網２００Ｂなどからなる広域ネットワーク２００によって接続可能にされて構成される。
【００２２】
なお、図１において、ＩＰ網２００Ａは、インターネットプロトコルに従ってパケット化されたデータが送受されるネットワークを意味し、主にインターネットである。また、電話網２００Ｂは、公衆交換電話網、携帯電話網、光電話網など、電話会社などにより提供され、また、将来提供される種々の電話通信用の通信網を含む。
【００２３】
主装置１Ａには、電話機２Ａ（１）、２Ａ（２）、…が、主装置１Ｂには、電話機２Ｂ（１）、２Ｂ（２）、…が、主装置１Ｃには、電話機２Ｃ（１）、２Ｃ（２）、…が、それぞれＬＡＮ（Local Area Network）を通じて接続される。これにより、本社や各支社においては、主装置とＬＡＮ接続される電話機とでボタン電話システムが構成される。
【００２４】
なお、この明細書においては、本社のボタン電話システムや支社のボタン電話システムというように、例えば、１つの主装置を広域ネットワーク２００への接続端として、同一構内に形成される電話に関するシステムをボタン電話システムという。また、広域ネットワーク２００を通じて複数の主装置１Ａ、１Ｂ、１Ｃ、…が接続されて広域に渡って形成される電話に関するシステムを単に電話システムという。
【００２５】
そして、この実施の形態の電話システムにおいては、本社に設置された主装置１Ａをマスター主装置（マスター電話制御装置）とし、各支社に設置される主装置１Ｂ、１Ｃ、…をスレーブ主装置（スレーブ電話制御装置）とする。主装置１Ａ、１Ｂ、１Ｃ、…のそれぞれは、電話会社側のＩＳＰ（Internet Service Provider）に最初にアクセスするようにした場合に、当該ＩＳＰサーバよりＩＰアドレスが割り当てられ、ＩＰ網２００Ａへの接続が可能な環境が整えられる。
【００２６】
なお、この実施の形態においては説明を簡単にするため、各主装置１Ａ、１Ｂ、１Ｃ、…には、電源が落とされるなどしてＩＰ網２００Ａとの接続が切断されても変わることのない固定ＩＰアドレスが割り当てられるものとする。もちろん、動的ＩＰアドレスを用いることも可能である。しかし、動的ＩＰアドレスを用いる場合には、動的ＩＰアドレスが変わるたびに、後述する電話システムへの接続要求を再度行って、ＩＰ網２００Ａを通じての通信路の接続のし直しを行う必要が生じる。
【００２７】
そして、各主装置１Ａ、１Ｂ、１Ｃ、…にＩＰアドレスが割り当てられただけでは、ＩＰ網２００Ａを通じて各主装置間を接続することはできない。ＩＰ網２００Ａを通じて通信路を接続する主装置間では相互に相手先のＩＰアドレスを知っている必要がある。相手先が相互に分からなければ相手先を特定した通信路の接続ができないためである。
【００２８】
そこで、この実施の形態の電話システムでは、マスター主装置１Ａとの間でＩＰ網２００Ａを通じた通信路の接続が確立していないスレーブ主装置に対しては、マスター主装置１ＡのＩＰアドレスなどを登録する。この予め登録されたマスター主装置のＩＰアドレスを用いて、当該スレーブ主装置からＩＰ網２００Ａを通じてマスター主装置１Ａにアクセスし（ログインし）、当該スレーブ主装置のＩＰアドレスをマスター主装置１Ａに提供して接続を要求する。これにより、マスター主装置１Ａは、接続要求元のスレーブ主装置のＩＰアドレスを取得して記憶保持し、当該スレーブ主装置とマスター主装置１Ａとの間に相互に通信路を接続することができる。
【００２９】
さらに、マスター主装置１Ａは、当該接続要求元のスレーブ主装置に対しては、既にＩＰ網２００Ａを通じて通信路を接続している他のスレーブ主装置のＩＰアドレスを提供する。また、マスター主装置１Ａは、当該接続要求元以外の既にＩＰ網２００Ａを通じて通信路を接続している他のスレーブ主装置に対しては、当該接続要求元のスレーブ主装置のＩＰアドレスを提供する。これにより、ＩＰ網２００Ａを通じて、各スレーブ主装置間もＩＰ網２００Ａを通じて相互に通信路を接続することができる。このようにして、各主装置間にＩＰ網２００Ａを通じて相互に通信路を接続し、ＩＰ網２００Ａを通じて通話を行うことができるようにされる。
【００３０】
なお、スレーブ主装置間における通信路の接続は、今回の接続要求元のスレーブ主装置から他のスレーブ主装置に対してＩＰ網２００Ａを通じてアクセスし、通信路を接続するようにすればよい。もちろん、今回の接続要求元以外のスレーブ主装置が、今回の接続要求元のスレーブ主装置に対してＩＰ網２００Ａを通じてアクセスし、通信路を接続するようにしてもよい。
【００３１】
ただし、既にマスター主装置１Ａとの間にＩＰ網２００Ａを通じて通信路を接続しているスレーブ主装置が複数存在する場合には、今回の接続要求元のスレーブ主装置に対して複数の接続要求が同時に発生することも考えられる。そこで、今回の接続要求元のスレーブ主装置に対して接続要求が同時に発生することを防止するためには、今回の接続要求元のスレーブ主装置から他のスレーブ主装置に対してアクセスする方式を用いればよい。
【００３２】
また、単にＩＰ網２００Ａを通じて各主装置間において相互に通信路を接続しただけでは、マスター主装置１Ａに収容された例えば電話機２Ａ（１）から、スレーブ主装置１Ｂに収容された電話機２Ｂ（１）に内線電話を掛けるといったことができない。すなわち、各主装置においては、自機も含めて同じ電話システムに属する全ての主装置における番号計画を把握していなければ、ボタン電話システム間の内線電話を実現できない。
【００３３】
また、使用者が各ボタン電話システムの区別をすることなく内線電話を掛けられるようにするためには、閉番号方式で番号計画を設定する必要がある。閉番号方式は、各ボタン電話システムで共通に利用可能ないわゆる内線特番（内線特殊番号）を除き、各ボタン電話システムにおいて用いられる内線番号が、その一部でも重複することのないように内線番号を設定する方式である。内線特番（内線特殊番号）とは、通常の内線番号とは異なる用途の番号を意味する。
【００３４】
そこで、この実施の形態においては、接続要求元のスレーブ主装置に番号計画がない場合には、マスター主装置１Ａが当該接続要求元のスレーブ主装置に対して番号計画を割り当てる。この場合、マスター主装置１Ａは、当該割り当てた番号計画を他のスレーブ主装置にも通知して、他のスレーブ主装置においても登録可能にする。
【００３５】
また、接続要求元のスレーブ主装置に番号計画がある場合には、マスター主装置１Ａが、その番号計画の提供を受けて、当該電話システムにおいて利用が可能なものか否かを判別する。この判別の結果、利用が可能であれば、接続要求元のスレーブ主装置に対して当該番号計画の利用を許可する。そして、マスター主装置１Ａにおいても接続要求元のスレーブ主装置から提供を受けた当該番号計画を登録すると共に、当該番号計画を他のスレーブ主装置にも通知して、他のスレーブ主装置においても登録可能にする。
【００３６】
なお、接続要求元のスレーブ主装置から提供を受けた番号計画が、他のボタン電話システムの番号計画と重複するなどのために利用が不能であれば、当該番号計画の利用を禁止し、マスター主装置１Ａが、当該接続要求元のスレーブ主装置に対して新たな番号計画を割り当てる。この場合、マスター主装置１Ａは、当該割り当てた新たな番号計画を他のスレーブ主装置にも通知して、他のスレーブ主装置においても登録可能にする。
【００３７】
このように、この実施の形態の電話システムでは、マスター主装置１Ａが、電話システム内の管理装置として機能し、工事担当者や使用者等の手を煩わせることなく、ＩＰアドレスなどのアドレスデータや番号計画データなどの必要になるシステム情報の配布を行う。これによって、外線通話やボタン電話システム内の内線通話だけでなく、ＩＰ網２００Ａを通じて各主装置間に通信路を接続できるようにし、ボタン電話システム間においても内線通話を行うことができるようにしている。
【００３８】
[主装置１Ａ、１Ｂ、１Ｃ、…の構成例]
次に、この実施の形態において、広域ネットワーク２００を通じて接続される各ボタン電話システムの主装置１Ａ、１Ｂ、１Ｃ、…の構成例について説明する。主装置１Ａ、１Ｂ、１Ｃ、…のそれぞれは、同様の構成を有し、マスター主装置にもスレーブ主装置にもなることができるものである。このため、以下においては、特に区別して示す場合を除き、主装置１Ａ、１Ｂ、１Ｃ、…のそれぞれを主装置１と総称する。また、主装置１Ａに接続される電話機２Ａ（１）、２Ａ（２）、…、主装置１Ｂに接続される電話機２Ｂ（１）、２Ｂ（２）、…、主装置１Ｃに接続される電話機２Ｃ（１）、２Ｃ（２）、…、についても、特に区別して示す場合を除き、電話機２と総称する。
【００３９】
図２は、主装置１の構成例を説明するためのブロック図である。上述したように、主装置１は、ＩＰ網２００Ａや電話網２００Ｂを通じて通信回線を接続すると共に、自機に収容された電話機のそれぞれを制御することができるものであり、いわゆるＳＩＰ（Session Initiation Protocol）サーバとして機能するものである。図２に示すように、主装置１は、ＩＰ網２００Ａへの接続端子１０１と、ＩＰ網インターフェース（以下、ＩＰ網Ｉ／Ｆと略称する。）１０２と、パケット分解／生成部１０３とを備える。
【００４０】
また、主装置１は、電話網インターフェース（以下、電話網Ｉ／Ｆと略称する。）１０４と、電話網２００Ｂへの接続端子１０５を備える。また、主装置１は、アドレスデータ記憶部１０６と、番号計画データ記憶部１０７と、マスター情報メモリ１０８を備える。さらに、主装置１は、ＬＡＮインターフェース（以下、ＬＡＮＩ／Ｆと略称する。）１０９と、ＬＡＮへの接続端子１１０と、外部インターフェース（以下、外部Ｉ／Ｆと略称する。）１１１と、外部端子１１２と、制御部１２０とを備える。
【００４１】
制御部１２０は、主装置１の各部を制御するものであり、図示しないが、ＣＰＵ（Central Processing Unit）、ＲＯＭ（Read Only Memory）、ＲＡＭ（Random Access Memory）、不揮発性メモリ等がシステムバスを通じて接続されて構成されたマイクロプロセッサである。また、制御部１２０は、通信路の接続状況を判別したり、詳しくは後述もするように、スレーブ主装置からの内線番号などの番号計画が適切に利用可能なものかを判別したりする判別部としても機能する。
【００４２】
接続端子１０１は、ＩＰ網２００Ａへの接続端部を構成する。ＩＰ網Ｉ／Ｆ１０２は、ＩＰ網２００Ａを通じて供給されるパケットを受け付けて、これを自機において処理可能な形式のパケットに変換して制御部１２０に供給する。また、ＩＰ網Ｉ／Ｆ１０２は、制御部１２０を通じて供給される送信すべきパケットを送信用の形式のパケットに変換して、これをＩＰ網２００Ａに送出する。
【００４３】
接続端子１０５は電話網２００Ｂへの接続端部を構成する。電話網Ｉ／Ｆ１０４は、電話網２００Ｂを通じて供給されるデータ（情報）を受け付けて、これを自機において処理可能な形式のデータに変換して制御部１２０に供給する。また、電話網Ｉ／Ｆ１０４は、制御部１２０を通じて供給される送信すべきデータを送信用の形式のデータに変換して、これを電話網２００Ｂに送出する。
【００４４】
接続端子１１０はＬＡＮへの接続端部を構成する。ＬＡＮＩ／Ｆ１０９は、ＬＡＮを通じて供給されるパケットを受け付けて、これを自機において処理可能な形式のパケットに変換して制御部１２０に供給する。また、ＬＡＮＩ／Ｆ１０９は、制御部１２０を通じて供給される送信すべきパケットを送信用の形式のパケットに変換して、これをＬＡＮに送出する。
【００４５】
外部端子１１２は、例えばＰＣ（Personal Computer）など外部機器との接続端部を構成する。外部Ｉ／Ｆ１１１は、外部端子１１２に接続されたＰＣなどの外部機器からのデータを受け付けて、これを自機において処理可能な形式のデータに変換して制御部１２０に供給する。また、外部Ｉ／Ｆ１１１は、制御部１２０を通じて供給される外部端子１１２に接続された外部機器に送信すべきデータを送信用の形式のデータに変換して、これを外部機器に送出する。
【００４６】
パケット分解／生成部１０３は、パケットの分解や生成を行うものである。具体的には、ＬＡＮを通じて主装置１に対して接続される電話機２からの電話網２００Ｂに接続された端末装置に送信すべきパケットは、接続端子１１０、ＬＡＮＩ／Ｆ１０９を通じて制御部１２０に受け付けられる。当該パケットは、制御部１２０からパケット分解／生成部１０３に供給され、ここでパケット分解された後に、制御部１２０、電話網Ｉ／Ｆ１０４、接続端子１０５を通じて電話網２００Ｂに送出され、目的とする相手先に送信される。
【００４７】
また、電話網２００Ｂに接続された端末装置からのＬＡＮを通じて主装置１に接続された電話機２へのデータは、接続端子１０５、電話網Ｉ／Ｆ１０４を通じて制御部１２０に受け付けられる。当該データは、制御部１２０からパケット分解／生成部１０３に供給され、ここで所定の形式のパケットとされた後に、制御部１２０、ＬＡＮＩ／Ｆ１０９、接続端子１１０を通じて、ＬＡＮに送出されて目的とする電話機２に送信される。
【００４８】
なお、ＩＰ網２００Ａに接続された端末と、主装置１にＬＡＮを通じて接続される電話機２との間では、パケットが送受される。このため、パケット分解／生成部１０３において、パケットの分解や生成は行われることはなく、ＩＰ網Ｉ／Ｆ１０２、ＬＡＮＩ／Ｆ１０９において、パケットの形式が整えられてそのまま送受信される。同様に、主装置１にＬＡＮを通じて接続される同じボタン電話システム内の電話機２間においても、パケットが送受される。このため、この場合にも、パケット分解／生成部１０３においては、パケットの分解や生成は行われることはなく、ＬＡＮＩ／Ｆ１０９を通じてパケットが送受信される。
【００４９】
アドレスデータ記憶部１０６は、レジストラ・サーバ機能を実現するために、ＩＰ網２００Ａに接続され、自機や自機を通じて呼び出す可能性のある他の主装置等についてのアドレスデータを記憶保持する。図３は、アドレスデータ記憶部１０６に格納される格納データ（アドレスデータ）の例を説明するための図である。図３に示すように、アドレスデータ記憶部１０６には、グループＩＤ、パスワード、ＩＰアドレス、システム番号、システム名称、優先順位の各データが格納される。
【００５０】
グループＩＤとパスワードは、複数の主装置１が接続されて構成されるこの実施の形態の電話システムについてのものである。グループＩＤは、複数の主装置１が接続されて構成される電話システムが、複数存在する場合もあり、それらを区別して管理できるようにするためのものである。パスワードは、アクセスしてくる外部機器が、当該電話システムにアクセス可能なものであるか否かの認証に用いるものである。これらグループＩＤやパスワードは、主装置１の外部Ｉ／Ｆ１１１及び外部端子１１２を通じて接続されるＰＣなどを通じて入力され、アドレスデータ記憶部１０６の該当エリアに書き込まれる。
【００５１】
ＩＰアドレス、システム番号、システム名称、優先順位の各データは、自機や自機に接続要求を送信してきた主装置１についての一連のアドレスデータである。ＩＰアドレスは、ＩＰ網２００Ａ上の自機の所在を示す情報であり、システム番号、システム名称は、ボタン電話システムのそれぞれを区別するための情報である。優先順位は、各主装置がマスター主装置になる場合の順番を示すものであり、現時点において最も優先順位が高い主装置がマスター主装置であり、その他の主装置がスレーブ主装置ということになる。
【００５２】
アドレスデータ記憶部１０６の１番目に登録されているＩＰアドレス、システム番号、システム名称、優先順位は、自機に関するものである。この内、ＩＰアドレスは、制御部１２０の制御の下、ＩＰ網Ｉ／Ｆ１０２及び接続端子１０１を通じてＩＰ網２００Ａ上に設けられている電話会社側のＩＳＰサーバに最初にアクセスした場合において、当該ＩＳＰサーバから付与される。
【００５３】
システム番号、システム名称、優先順位は、基本的にマスター主装置が自機も含め同じ電話システムに属する主装置に割り当てる。このため、マスター主装置において、外部Ｉ／Ｆ１１１及び外部端子１１２を通じて接続されるＰＣなどを通じて入力された、システム番号、システム名称、優先順位が登録されて利用される。
【００５４】
アドレスデータ記憶部１０６の２番目以降に登録されているＩＰアドレス、システム番号、システム名称、優先順位は、同じ電話システムに属する他の主装置に関するものである。例えば、当該主装置１がマスター主装置である場合、ＩＰ網Ｉ／Ｆ１０２を通じて、他の主装置からの接続要求（登録要求）を受信した場合に、これに含まれるＩＰアドレスがアドレスデータ記憶部１０６に登録される。
【００５５】
さらに、マスター主装置１の制御部１２０は、当該接続要求元の主装置に対して、システム番号、システム名称、優先順位を付与し、これが当該接続要求元の主装置のアドレスデータ記憶部１０６に登録される。また、当該主装置１がスレーブ主装置である場合には、ＩＰ網Ｉ／Ｆ１０２を通じて、マスター主装置から提供される他の主装置のＩＰアドレス、システム番号、システム名称、優先順位が、アドレスデータ記憶部１０６に登録される。
【００５６】
このようにして、アドレスデータ記憶部１０６に登録されて管理される情報が参照され、自機にＬＡＮを通じて接続されている電話機からの要求のあった相手先のボタン電話システムを特定することができるようにされる。そして、その特定した相手先に送信すべき情報（パケットデータ）を転送するようにするプロキシ・サーバとしての機能を主装置１が実現できるようにしている。
【００５７】
番号計画データ記憶部１０７は、各ボタン電話システムに割り当てられる内線番号の番号計画データを記憶する。番号計画データは、各ボタン電話システムにおいて独自に設定することもできるものである。しかし、上述もしたように、この実施の形態の電話システムでは、各ボタン電話システムの番号計画は、内線特番を除き、内線番号がその一部においても重複することがない閉番号方式を採用する。このため、番号計画データは、マスター主装置において、配布済みの番号計画データや配布可能な番号計画データを記憶して管理する。
【００５８】
図４は、番号計画データ記憶部１０７の格納データの例を説明するための図である。図４に示すように、番号計画データ記憶部１０７の格納データ（番号計画データ）は、システム番号、番号計画、配布済みフラグ（図４ではＦＬＧと記載）からなる。図４に示した例の場合、システム番号が「００１」のボタン電話システムには、番号計画として、１０００番台の内線番号と、特番として９０００番台の番号が割り当てられている。
【００５９】
また、システム番号が「００２」のボタン電話システムには、番号計画として、２０００番台の内線番号と、特番として９０００番台の番号が割り当てられている。また、システム番号が「００３」のボタン電話システムには、番号計画として、３０００番台の内線番号と、特番として９０００番台の番号が割り当てられている。そして、図４に示した番号計画データの場合、システム番号が「００１」と「００２」のボタン電話システムについての番号計画データは既に配布済みであり、システム番号が「００３」のボタン電話システムについての番号計画データは未配布であることが管理されている。
【００６０】
なお、図２において点線で囲んで示したように、アドレスデータ記憶部１０６と番号計画データ記憶部１０７とによりシステム情報記憶部が構成される。すなわち、アドレスデータ記憶部１０６に記憶されているアドレスデータと番号計画データ記憶部１０７に記憶されている番号計画データとが、システム情報を構成し、これらのシステム情報に基づいてボタン電話システム間の通信を行うことができるようにされる。
【００６１】
マスター情報メモリ１０８は、当該主装置１がスレーブ主装置である場合に、マスター主装置のＩＰアドレスやパスワードからなるマスター情報を記憶する。スレーブ主装置からＩＰ網２００Ａを通じてマスター主装置にアクセスし、通信路を接続する場合に用いるためである。マスター情報メモリ１０８に記憶されるマスター主装置のＩＰアドレスやパスワードは、外部Ｉ／Ｆ１１１及び外部端子１１２を通じて接続されたＰＣなどから提供されたり、主装置１の図示しない操作部を通じて保守担当者等によって入力されたりするものである。
【００６２】
そして、図２に示した登録処理部１３１、配布処理部１３２、接続状態通知処理部１３３が、この発明を実現するための主要部となる。登録処理部１３１は、第１〜第４の登録部１３１Ａ、１３１Ｂ、１３１Ｃ、１３１Ｄを備える。第１、第２の登録部１３１Ａ、１３１Ｂは、当該主装置１がマスター主装置として用いられる場合に機能する。また、第３、第４の登録部１３１Ｃ、１３１Ｄは、当該主装置１がスレーブ主装置として用いられる場合に機能する。
【００６３】
第１の登録部１３１Ａは、当該主装置がマスター主装置として機能する場合に、予め決められるシステム情報の提供を受けて、これをシステム情報記憶部としてのアドレスデータ記憶部１０６や番号計画データ記憶部１０７に登録する。この場合の予め決められるシステム情報は、自機のＩＰアドレス、システム番号、システム名称、優先順位からなるアドレスデータと、自ボタン電話システムや予め登録するようにされた他ボタン電話システムの番号計画データである。
【００６４】
第２の登録部１３１Ｂは、当該主装置がマスター主装置として機能する場合に、スレーブ主装置からＩＰ網２００Ａを通じて送信されてくるシステム情報を受け付けて、これをシステム情報記憶部としてのアドレスデータ記憶部１０６や番号計画データ記憶部１０７に登録する。この場合のスレーブ主装置からのシステム情報は、当該スレーブ主装置のアドレスデータとしてのＩＰアドレスや番号計画データなどである。
【００６５】
第３の登録部１３１Ｃは、当該主装置がスレーブ主装置として機能する場合に、システム情報の内、予め決められるシステム情報の提供を受けて、これをシステム情報記憶部としてのアドレスデータ記憶部１０６や番号計画データ記憶部１０７に登録する。この場合の予め決められるシステム情報は、自機のアドレスデータとしてのＩＰアドレスや自ボタン電話システムの番号計画データなどである。
【００６６】
第４の登録部１３１Ｄは、当該主装置がスレーブ主装置として機能する場合に、ＩＰ網２００Ａを通じてマスター主装置から送信されてくるシステム情報を、システム情報記憶部としてのアドレスデータ記憶部１０６や番号計画データ記憶部１０７に登録する。この場合のマスター主装置から送信されてくるシステム情報は、他の主装置のＩＰアドレスや、自機や他の主装置のシステム番号、システム名称、優先順位などのアドレスデータ、また、自ボタン電話システムや他のボタン電話システムの番号計画データなどの情報である。
【００６７】
配布処理部１３２は、第１、第２の配布部１３２Ａ、１３２Ｂを備え、当該主装置がマスター主装置として機能する場合に機能する。第１の配布部１３２Ａは、第２の登録部１３１Ｂによって接続要求元のスレーブ主装置からのシステム情報をシステム情報記憶部に登録した後に、当該接続要求元のスレーブ主装置に対して、当該電話システムを構成する他の主装置のそれぞれについてのシステム情報を配布する。ここで配布されるシステム情報は、他の主装置のＩＰアドレス、システム番号、システム名称、優先順位からなるアドレスデータと、他のボタン電話システムの番号計画データである。
【００６８】
第２の配布部１３２Ｂは、第２の登録部１３１Ｂによって接続要求元のスレーブ主装置からのシステム情報をシステム情報記憶部に登録した後に、当該接続要求元以外の他の主装置のそれぞれに対して、当該接続要求元の主装置についてのシステム情報を配布する。ここで配布されるシステム情報は、当該接続要求元の主装置のＩＰアドレス、システム番号、システム名称、優先順位からなるアドレスデータと、当該接続要求元の主装置が属するボタン電話システムの番号計画データである。
【００６９】
接続状態通知処理部１３３は、当該主装置がマスター主装置として機能する場合に機能する。接続状態通知処理部１３３は、スレーブ主装置からマスター主装置へのログインやマスター主装置からのログオフを契機（トリガー）として、電話システムを各主装置のログイン状態（接続状態）や通信状態を確認して、これを接続中の各スレーブ主装置に通知する。これによって、各スレーブ主装置は、現時点において通信が可能な主装置と通信が不能な主装置とを適切に判別し、使用者に通知するなどのことができる。
【００７０】
この様な構成を有する主装置１が用いられて構成されるこの実施の形態の電話システムにおいては、主装置を広域ネットワーク２００への接続端とするボタン電話システム間の接続を容易に行うことができるようにしている。しかも、複数の主装置が広域ネットワーク２００を通じて接続されて構成される電話システムにおいて、閉番号方式で内線番号を適切に設定し、ボタン電話システム間の内線通話も簡単に行うことができるようにしている。以下においては、この実施の形態の電話システムを構築する際に行われる各ボタン電話システム間の接続処理について具体的に説明する。
【００７１】
[ボタン電話システム間の通信路の接続動作（接続処理）]
まず、ボタン電話システム間の通信路の基本的な接続動作について説明する。ここでは、支社１（東北）に設置したスレーブ主装置１Ｂから本社（東京）に設置されているマスター主装置１Ａに接続を要求する場合を例にして説明する。図５は、マスター主装置１Ａとスレーブ主装置１Ｂとの間にＩＰ網２００Ａを通じて通信路を接続する場合の動作を説明するためのシーケンス図である。
【００７２】
主装置１Ａの外部Ｉ／Ｆ１１１及び外部端子１１２を通じて接続されるＰＣ（Personal Computer）においては、予め決められるシステム情報が事前に作成されている（ステップＳ１）。ここで、システム情報は、電話システムで用いられるグループＩＤ、パスワードなどの共通データ、各ボタン電話システムに割り当てられるシステム番号やシステム名称や優先順位などのアドレスデータ、各ボタン電話システムに割り当てる番号計画データなどである。
【００７３】
主装置１Ａが本社に設置されると、当該ＰＣは、作成したシステム情報を主装置１Ａに転送する（ステップＳ２）。主装置１Ａの登録処理部１３１の第１の登録部１３１Ａは、共通データやアドレスデータはアドレスデータ記憶部１０６の該当エリアに登録し、番号計画データは番号計画データ記憶部１０７の該当エリアに登録する（ステップＳ３）。すなわち、ステップＳ３では、予め決められるシステム情報である共通データ、アドレスデータ、番号計画データを、システム情報記憶部に更新する更新処理が行われる。
【００７４】
そして、上述したステップＳ１〜ステップＳ３の処理を通じて、主装置１Ａのアドレスデータ記憶部１０６には、グループＩＤ及びパスワードと、電話システムを構成することになる主装置のそれぞれごとに割り当てられるシステム番号、システム名称、優先順位とが登録される。また、上述したステップＳ１〜ステップＳ３の処理を通じて、主装置１Ａの番号計画データ記憶部１０７には、電話システムを構成する各ボタン電話システムに割り当てられる番号計画データが登録される。
【００７５】
この実施の形態においては、図３に示したように、アドレスデータ記憶部１０６には、グループＩＤとして「ＧＰ００１」が、パスワードとして「ＰＷａｂｃ…」が登録される。また、図３に示した例では、システム番号が「００１」、「００２」、「００３」、システム名称が「システム１」、「システム２」、「システム３」、優先順位が「第１位」、「第２位」、「第３位」までのデータが登録される。また、図４に示したように、番号計画データ記憶部１０７には、システム番号が「００１」、「００２」、「００３」のボタン電話システムに対する番号計画データが格納される。
【００７６】
そして、主装置１Ａが、物理的にＩＰ網２００Ａや電話網２００Ｂに対して接続されると、主装置１Ａは、制御部１２０の制御によりＩＰ網Ｉ／Ｆ１０２が機能し、電話会社側のＩＳＰサーバにアクセスする。そして、主装置１Ａは、ＩＳＰサーバよりＩＰアドレスの割り当てを受け、これを制御部１２０の制御の下、登録処理部１３１の第１の登録部１３１Ａが機能しアドレスデータ記憶部１０６に登録する（ステップＳ４）。なお、この例において、主装置１Ａに割り当てられたＩＰアドレスは、「ＸＸＸ．ＸＸＸ．ＸＸＸ．ＸＸＸ」であるものとする。
【００７７】
そして、ステップＳ１〜ステップＳ４の処理を通じて、主装置１Ａにおいては、自機についてのアドレスデータがアドレスデータ記憶部１０６に記録される。すなわち、主装置１Ａでは、図３に示したように、主装置１Ａに割り当てられたＩＰアドレスが「ＸＸＸ．ＸＸＸ．ＸＸＸ．ＸＸＸ」で、主装置１Ａのシステム番号が「００１」で、システム名称が「システム１」で、優先順位が「第１位」となる情報が登録される。
【００７８】
そして、主装置１Ａのアドレスデータの内、優先順位が「第１位」であるので、当該主装置１Ａがマスター主装置として選択されたことになる。また、システム番号が「００１」であるので、マスター主装置１Ａを広域ネットワーク２００への接続端とするボタン電話システムの電話機２Ａ（１）、２Ａ（２）、…のそれぞれには、１０００番台の内線番号が割り当てられる。
【００７９】
一方、支社１に設置された主装置１Ｂが、物理的にＩＰ網２００Ａや電話網２００Ｂに対して接続されると、主装置１Ｂは、制御部１２０の制御によりＩＰ網Ｉ／Ｆ１０２が機能し、電話会社側のＩＳＰサーバにアクセスする。そして、主装置１Ｂは、ＩＳＰサーバよりＩＰアドレスの割り当てを受け、これを制御部１２０の制御の下、登録処理部１３１の第３の登録部１３１Ｃが機能しアドレスデータ記憶部１０６に登録する（ステップＳ５）。なお、この例において、主装置１Ｂに割り当てられたＩＰアドレスは、「ＹＹＹ．ＹＹＹ．ＹＹＹ．ＹＹ１」であるものとする。
【００８０】
このステップＳ５の処理では、主装置１Ｂのアドレスデータ記憶部１０６には、まだ自機のＩＰアドレスである例えば「ＹＹＹ．ＹＹＹ．ＹＹＹ．ＹＹ１」しか登録されていない状態である。したがって、マスター主装置であれば設定されているはずの優先順位が設定されていないので、主装置１Ｂはスレーブ主装置として機能することになる。
【００８１】
そして、支社１に設置された主装置１Ｂに対しては、外部Ｉ／Ｆ１１１及び外部端子１１２を通じて接続されたＰＣを通じて、マスター主装置１ＡのＩＰアドレスと、パスワードとが供給され、これを制御部１２０が、マスター情報メモリ１０８に記録する（ステップＳ６）。これにより、主装置１Ｂのマスター情報メモリ１０８には、マスター主装置１ＡのＩＰアドレスである「ＸＸＸ．ＸＸＸ．ＸＸＸ．ＸＸＸ」と、パスワードである「ＰＷａｂｃ１２…」が登録される。このように、図５において、ステップＳ１〜ステップＳ６の処理が、マスター主装置１Ａとスレーブ主装置１Ｂとの間にＩＰ網２００Ａを通じて通信路を接続するための準備処理となる。
【００８２】
そして、スレーブ主装置１Ｂにおいては、制御部１２０が、マスター情報メモリ１０８のマスター主装置１ＡのＩＰアドレスとパスワードとを用いると共に、ＩＰ網Ｉ／Ｆ１０２を制御して、マスター主装置１Ａにアクセスして接続要求を送信する（ステップＳ７）。このステップＳ７の処理が、スレーブ主装置１Ｂをネットワーク２００への接続端とするボタン電話システムを、広域に形成される電話システムに登録のために、スレーブ主装置１Ｂがマスター主装置１Ａにログインする処理となる。
【００８３】
マスター主装置１Ａでは、スレーブ主装置１Ｂからの接続要求を受け付けると、まず、スレーブ主装置１Ｂが自機に接続可能な機器かの認証を取り、認証が取れたらスレーブ主装置１Ｂを、広域の電話システムに登録する処理を行う（ステップＳ８）。すなわち、ステップＳ８においては、まず、マスター主装置１Ａの制御部１２０が、当該接続要求に含まれるパスワードと、アドレスデータ記憶部１０６に記憶されているパスワードとが同じか否かを確認し、同じであればスレーブ主装置１Ｂを認証する。なお、同じでなければ、接続拒否をスレーブ主装置１Ｂに通知し、以降の処理は行われない。
【００８４】
スレーブ主装置１Ｂを認証すると、マスター主装置１Ａの制御部１２０は、登録処理部１３１の第２の登録部１３１Ｂを制御し、当該接続要求に含まれるスレーブ主装置１ＢのＩＰアドレスを、アドレスデータ記憶部１０６に登録する。この場合、第２の登録部１３１Ｂは、アドレスデータ記憶部１０６の１番目から順番に探して、ＩＰアドレスが登録されていないアドレスデータのＩＰアドレス欄に、スレーブ主装置１ＢからのＩＰアドレスを登録する。
【００８５】
ステップＳ８の認証・登録の処理を通じて、この例の場合には、図３に示すように、アドレスデータ記憶部１０６の２番目のデータのＩＰアドレス欄に、スレーブ主装置１ＢのＩＰアドレス「ＹＹＹ．ＹＹＹ．ＹＹＹ．ＹＹ１」が登録（更新）される。これにより、スレーブ主装置１Ｂには、システム番号「００２」、システム名称「システム２」、優先順位「第２位」が割り当てられることになる。
【００８６】
次に、マスター主装置１Ａは、接続要求元のスレーブ主装置１Ｂに対して、システム情報を配布する（ステップＳ９）。この場合、マスター主装置１Ａの制御部１２０は、配布処理部１３２の第１の配布部１３２Ａを制御して、接続要求元のスレーブ主装置１Ｂにシステム情報を配布する。ここで配布されるシステム情報は、グループＩＤとパスワードからなる共通データと、所定のアドレスデータと、所定の番号計画データある。
【００８７】
ステップＳ９で配布されるアドレスデータは、アドレスデータ記憶部１０６に記憶されている、スレーブ主装置１Ｂについてのシステム番号、システム名称、優先順位と、マスター主装置１ＡのＩＰアドレス、システム番号、システム名称、優先順位である。また、ステップＳ９で配布される番号計画データは、番号計画データ記憶部１０７に記憶されているシステム番号が「００１」の番号計画データとシステム番号が「００２」の番号計画データである。システム番号が「００１」の番号計画データは、マスター主装置１Ａについてのものとなり、システム番号が「００２」の番号計画データは、スレーブ主装置１Ｂについてのものとなる。
【００８８】
そして、スレーブ主装置１Ｂにおいては、制御部１２０が登録処理部の第４の登録部１３１Ｄを制御し、ステップＳ９において提供されたシステム情報をシステム情報記憶部に記録する（ステップＳ１０）。すなわち、ステップＳ１０において、登録部１３１Ｄは、マスター主装置１Ａからの共通データやアドレスデータはアドレスデータ記憶部１０６に、マスター主装置１Ａからの番号計画データは番号計画データ記憶部１０７に登録する。
【００８９】
このように、ステップＳ７〜ステップＳ１０までの処理が、スレーブ主装置１Ｂからマスター主装置１Ａへのログイン処理となり、この一連の処理により、マスター主装置１Ａとスレーブ主装置１Ｂとの間にＩＰ網２００Ａを通じて相互に通信路が接続される。これにより、マスター主装置１ＡにＬＡＮ接続された電話機２Ａ（１）、２Ａ（２）、…と、スレーブ主装置１ＢにＬＡＮ接続された電話機２Ｂ（１）、２Ｂ（２）、…との間で、内線番号を用いた内線通話ができるようになる。
【００９０】
そして、マスター主装置１Ａは、スレーブ主装置１Ｂのログインを契機として、ＩＰ網２００Ａを通じて相互に通信路を接続している主装置やその接続状態（ヘルスチェックの結果）などを、当該相互に通信路を接続している主装置に通知する（ステップＳ１１）。この例の場合には、ＩＰ網２００Ａを通じて相互に通信路を接続している主装置は、マスター主装置１Ａとスレーブ主装置１Ｂだけであるので、接続状態等はマスター主装置１Ａからスレーブ主装置１Ｂに通知される。
【００９１】
これにより、スレーブ主装置１Ｂは、自ボタン電話システムも属する広域に形成される電話システムの現在の接続状況等を把握できる。したがって、接続されていないボタン電話システムに内線電話を掛けるといった間違った操作を使用者が行うこともなく、接続状態に応じて通信が可能な状態にあるか否かも把握できる。
【００９２】
なお、図５を用いて説明した例の場合には、番号計画データは初めからマスター主装置１Ａから提供するものとして説明した。しかし、番号計画データは、スレーブ主装置が初めから持たない場合もあれば、スレーブ主装置が独自の番号計画データを持っている場合もある。また、図５を用いて説明した例の場合には、マスター主装置１Ａに対してＩＰ網２００Ａを通じて既に通信路が接続され他スレーブ主装置が存在していなかった。このため、マスター主装置１Ａの配布処理部１３２の第２の配信部１３２Ｂは用いられなかった。
【００９３】
そこで、以下においては、マスター主装置１Ａに対して、既にスレーブ主装置１ＢがＩＰ網２００Ａを通じて既に通信路を接続している状態であって、新たに主装置１Ｃがマスター主装置１Ａに対して接続要求をしてくる場合を例にして接続時の動作を説明する。また、主装置１Ｃが番号計画を持たない場合と、利用が許可される番号計画を持つ場合と、利用が禁止される番号計画を持つ場合の３つの場合に分けて、接続時の動作を具体的に説明する。
【００９４】
[接続要求元の主装置１Ｃに自番号計画がない場合の動作（処理）]
図６は、支社２に設置された主装置１Ｃが接続要求元となる場合であって、主装置１Ｃに自番号計画がない場合の電話システムの動作について説明するためのシーケンス図である。図６において、二重線で囲んで示したように、主装置１Ｂは、図５を用いて説明した一連の処理により、マスター主装置１Ａに対してスレーブ主装置として登録済みで、マスター主装置１Ａとの間ではＩＰ網２００Ａを通じて相互に通信路が接続されているものとする。
【００９５】
新たに電話システムに接続しようとする主装置１Ｃは、物理的にＩＰ網２００Ａや電話網２００Ｂに対して接続されると、制御部１２０の制御によりＩＰ網Ｉ／Ｆ１０２が機能し、電話会社側のＩＳＰサーバにアクセスする。そして、主装置１Ｃは、ＩＳＰサーバよりＩＰアドレスの割り当てを受け、これを制御部１２０の制御の下、登録処理部１３１の第３の登録部１３１Ｃが機能しアドレスデータ記憶部１０６に登録する（ステップＳ２１）。なお、この例において、主装置１Ｃに割り当てられたＩＰアドレスは、「ＹＹＹ．ＹＹＹ．ＹＹＹ．ＹＹ２」であるものとする。
【００９６】
このステップＳ２１の処理では、主装置１Ｃのアドレスデータ記憶部１０６には、まだ自機のＩＰアドレスである例えば「ＹＹＹ．ＹＹＹ．ＹＹＹ．ＹＹ２」しか登録されていない状態である。したがって、この状態で主装置１Ｃには優先順位が設定されていないので、スレーブ主装置として機能することになる。
【００９７】
そして、支社２に設置された主装置１Ｃに対しては、外部Ｉ／Ｆ１１１及び外部端子１１２を通じて接続されたＰＣを通じて、マスター主装置１ＡのＩＰアドレスと、パスワードとが供給され、これを制御部１２０が、マスター情報メモリ１０８に記録する（ステップＳ２２）。これにより、主装置１Ｃのマスター情報メモリ１０８には、マスター主装置１ＡのＩＰアドレスである「ＸＸＸ．ＸＸＸ．ＸＸＸ．ＸＸＸ」と、パスワードである「ＰＷａｂｃ１２…」が登録される。
【００９８】
この後、スレーブ主装置１Ｃにおいては、制御部１２０が、マスター情報メモリ１０８のマスター主装置１ＡのＩＰアドレスとパスワードとを用いると共に、ＩＰ網Ｉ／Ｆ１０２を制御して、マスター主装置１Ａにアクセスして接続要求を送信する（ステップＳ２３）。このステップＳ２３の処理が、スレーブ主装置１Ｃをネットワーク２００への接続端とするボタン電話システムを、広域に形成される電話システムに登録のために、スレーブ主装置１Ｃがマスター主装置１Ａにログインする処理となる。そして、スレーブ主装置１Ｃは、制御部１２０がＩＰ網Ｉ／Ｆ１０２を制御して、自機は番号計画を持っていないことをマスター主装置１Ａに通知する（ステップＳ２４）。
【００９９】
マスター主装置１Ａでは、制御部１２０が、まず、スレーブ主装置１Ｃからのパスワードに基づいて認証を行い、認証が取れれば、スレーブ主装置１Ｃからの接続要求に含まれるＩＰアドレスをアドレスデータ記憶部１０６に登録する（ステップＳ２５）。なお、ステップＳ２５において、スレーブ主装置１ＣのＩＰアドレスは、アドレスデータ記憶部１０６の１番目から順番に探して、ＩＰアドレスが登録されていないデータのＩＰアドレス欄に登録する。
【０１００】
この例の場合には、図３に示すように、アドレスデータ記憶部１０６の３番目のデータのＩＰアドレス欄が空欄であるので、ここにスレーブ主装置１ＣのＩＰアドレス「ＹＹＹ．ＹＹＹ．ＹＹＹ．ＹＹ２」が登録されることになる。これにより、スレーブ主装置１Ｃには、システム番号「００３」、システム名称「システム３」、優先順位「第３位」が割り当てられることになる。そして、マスター主装置１Ａの制御部１２０は、番号計画がないことを示す通知を受信したことを示す「ＯＫ」通知を形成して、ＩＰ網Ｉ／Ｆ１０２を通じてスレーブ主装置１Ｃに返信する（ステップＳ２６）。
【０１０１】
この後、マスター主装置１Ａにおいては、制御部１２０の制御の下、配布処理部１３２の第１の配布部１３２Ａが機能し、システム情報を接続要求元のスレーブ主装置１Ｃに配布する（ステップＳ２７）。この場合、システム情報は、グループＩＤとパスワードからなる共通データと、アドレスデータと、番号計画データとからなる。そして、アドレスデータは、スレーブ主装置１Ｃのシステム番号、システム名称、優先順位と、既に電話システムを構成しているマスター主装置１Ａとスレーブ主装置１ＢのＩＰアドレス、システム番号、システム名称、優先順位である。また、番号計画データは、マスター主装置１Ａとスレーブ主装置１Ｂとスレーブ主装置１Ｃのそれぞれの番号計画データである。より具体的には、システム番号が、「００１」の番号計画データと、システム番号が、「００２」の番号計画データと、システム番号が、「００３」の番号計画データとがスレーブ主装置１Ｃに配布される。
【０１０２】
そして、接続要求元のスレーブ主装置１Ｃにおいては、制御部１２０の制御の下、登録処理部１３１の第４の登録部１３１Ｄが機能し、マスター主装置１Ａからのシステム情報をシステム情報記憶に登録する（ステップＳ２８）。この場合、システム情報の内、共通データとアドレスデータはアドレスデータ記憶部１０６に、番号計画データは番号計画データ記憶部１０７に、それぞれ登録される。
【０１０３】
また、マスター主装置１Ａは、接続要求元以外の既に電話システムを構成している全てのスレーブ主装置に対して（この例の場合にはスレーブ主装置１Ｂに対して）、接続要求元のスレーブ主装置１Ｃについてのシステム情報を配布する（ステップＳ２９）。ステップＳ２９において、マスター主装置１Ａは、制御部１２０の制御の下、配布処理部１３２の第２の配布部１３２Ｂが機能し、アドレスデータ記憶部１０６に登録したアドレスデータであるスレーブ主装置１ＣについてのＩＰアドレス、システム番号、システム名称、優先順位を、スレーブ主装置１Ｂに対して配布する。また、マスター主装置１Ａは、制御部１２０の制御の下、配布処理部１３２の第２の配布部１３２Ｂが機能し、番号計画データ記憶部１０７に登録してあるスレーブ主装置１Ｃについての番号計画、すなわち、システム番号が「００３」の番号計画を、スレーブ主装置１Ｂに対して配布する。
【０１０４】
そして、既に電話システムの構成要素の１つとなっているスレーブ主装置１Ｂにおいては、制御部１２０の制御の下、登録処理部１３１の第４の登録部１３１Ｄが機能し、スレーブ主装置１Ｃについてのシステム情報をシステム情報記憶部に登録する（ステップＳ３０）。これにより、アドレスデータはアドレスデータ記憶部１０６に、番号計画データは番号計画データ記憶部１０７に、それぞれ登録される（ステップＳ３０）。
【０１０５】
このようにして、マスター主装置１Ａ、スレーブ主装置１Ｂ、１Ｃのそれぞれに、電話システムを構成するマスター主装置１Ａ、スレーブ主装置１Ｂ、１Ｃのシステム情報が登録され、接続環境が整えられる。そして、図６には図示しないが、例えば、スレーブ主装置１Ｃからスレーブ主装置１Ｂに対して、スレーブ主装置１ＢのＩＰアドレスとパスワードを用いてアクセスすることにより、スレーブ主装置１Ｃとスレーブ主装置１Ｂとの間にもＩＰ網２００Ａを通じて通信路が接続される。これにより、主装置１Ａ、１Ｂ、１Ｃは相互にＩＰ網２００Ａを通じて通信路が接続され、相互に内線通話を行うことができるようになる。
【０１０６】
[接続要求元の主装置１Ｃにある番号計画の利用が許可される場合の動作（処理）]
図７は、支社２に設置された主装置１Ｃが接続要求元となる場合であって、主装置１Ｃに番号計画データが存在し、当該番号計画データの利用が許可される場合の電話システムの動作について説明するためのシーケンス図である。図７に示すシーケンス図においても、二重線で囲んで示したように、主装置１Ｂは、図５を用いて説明した一連の処理により、マスター主装置１Ａに対してスレーブ主装置として登録済みであり、マスター主装置１Ａとの間ではＩＰ網２００Ａを通じて相互に通信路が接続されているものとする。
【０１０７】
そして、図７において、ステップＳ３１〜ステップＳ３３までの処理は、図６に示したステップＳ２１〜ステップＳ２３までの処理と同様に行われる。すなわち、ステップＳ３１の処理では、スレーブ主装置１Ｃは、自機用のＩＰアドレスである例えば「ＹＹＹ．ＹＹＹ．ＹＹＹ．ＹＹ２」を取得し、これを登録処理部１３１の第３の登録部１３１Ｃが機能してアドレスデータ記憶部１０６に登録する。ステップＳ３２の処理では、制御部１２０が、主装置１Ｃのマスター情報メモリ１０８に、マスター主装置１ＡのＩＰアドレスである「ＸＸＸ．ＸＸＸ．ＸＸＸ．ＸＸＸ」と、パスワードである「ＰＷａｂｃ１２…」を登録する。ステップＳ３３の処理では、スレーブ主装置１Ｃは、マスター情報メモリ１０８の登録情報を用いて、マスター主装置１Ａにログインする。
【０１０８】
そして、この例のスレーブ主装置１Ｃは、番号計画データ（自番号計画データ）を保持している。このため、スレーブ主装置１Ｃの制御部１２０は、番号計画データ記憶部１０７から自己の番号計画データを読み出し、これをＩＰ網Ｉ／Ｆ１０２を通じてマスター主装置１Ａに通知する（ステップＳ３４）。そして、この例において、スレーブ主装置１Ｃからマスター主装置１Ａに通知された番号計画データは、図７に示すように、内線番号として３０００番台を用い、特番として９０００番台を用いるものであるとする。
【０１０９】
マスター主装置１Ａでは、制御部１２０が、パスワードに基づいて認証を行い、認証が取れれば、スレーブ主装置１Ｃからの接続要求に含まれるＩＰアドレスをアドレスデータ記憶部１０６に登録し、さらに、提供された番号計画データが利用可能か判別する（ステップＳ３５）。このように、制御部１２０が、認証処理、登録処理、判別処理の一連の処理を実行するのが、ステップＳ３５の処理である。
【０１１０】
なお、ステップＳ３５のＩＰアドレスの登録処理では、図３を用いて説明したように、アドレスデータ記憶部１０６の上から３番目のデータのＩＰアドレス欄に登録され、スレーブ主装置１Ｃには、システム番号「００３」、システム名称「システム３」、優先順位「第３位」が割り当てられる。さらに、ステップＳ３５の判別処理では、スレーブ主装置１Ｃから提供された番号計画データと、番号計画データ記憶部１０７に登録されている各番号計画データとの突合せを行い、スレーブ主装置１Ｃから提供された番号計画データが利用可能なものか否かを判別する。
【０１１１】
なお、ステップＳ３５で行われるスレーブ主装置１Ｃから提供された番号計画データが利用可能なものか否かの判別は、いくつかの観点から行われる。まず、送信されてきた番号計画データと一致する番号計画データが、番号計画データ記憶部１０７に存在しない場合には、送信されてきた番号計画データの利用が可能であると判別する。この場合、マスター主装置１Ａの番号計画データが、番号計画データ記憶部１０７に存在しないのであるから、制御部１２０は、登録処理部１３１の第２の登録部１３２Ｂを制御して、スレーブ主装置１Ｃからの番号計画データを、スレーブ主装置１Ｃからの番号計画データ（システム番号が「００３」の番号計画データ）として、番号計画データ記憶部１０７に登録する処理も行う。
【０１１２】
また、送信されてきた番号計画データと一致する番号計画データが、番号計画データ記憶部１０７に存在する場合には、番号計画データ記憶部１０７の当該番号計画データが、番号計画データの送信元（この例の場合にはスレーブ主装置１Ｃ）に対して割り当てられたものか否かを判別する。ここで、番号計画データ記憶部１０７の当該番号計画データが、番号計画データの送信元に対して割り当てられたものであると判別した時には、送信されてきた番号計画データの利用が可能であると判別する。
【０１１３】
これ以外の場合、すなわち、送信されてきた番号計画データと一致する番号計画データが、番号計画データ記憶部１０７に存在し、かつ、番号計画データ記憶部１０７の当該番号計画データが、番号計画データの送信元に対して割り当てられたものでないと判別したときには、送信されてきた番号計画データの利用は不能であると判別することになる。
【０１１４】
ステップＳ３５で行われる判別処理で、スレーブ主装置１Ｃから送信されてきた番号計画データが、そのままスレーブ主装置１Ｃの番号計画データとして利用可能であると判別したとする。この場合、マスター主装置１Ａの制御部１２０は、当該番号計画データの利用許可を示すメッセージを形成して、送信元のスレーブ主装置１Ｃに送信する（ステップＳ３６）。
【０１１５】
この後、マスター主装置１Ａにおいては、制御部１２０の制御の下、配布処理部１３２の第１の配布部１３２Ａが機能し、共通データとアドレスデータと番号計画データを含むシステム情報を接続要求元のスレーブ主装置１Ｃに配布する（ステップＳ３７）。この場合のアドレスデータは、スレーブ主装置１Ｃのシステム番号、システム名称、優先順位と、既に電話システムを構成しているマスター主装置１Ａとスレーブ主装置１ＢのＩＰアドレス、システム番号、システム名称、優先順位である。また、この場合の番号計画データは、マスター主装置１Ａとスレーブ主装置１Ｂのそれぞれの番号計画データである。スレーブ主装置１Ｃの番号計画データは、スレーブ主装置１Ｃが既に保持しているものをそのまま用いることができるので、スレーブ主装置１Ｃ用の番号計画が提供されることはない。
【０１１６】
そして、接続要求元のスレーブ主装置１Ｃは、制御部１２０の制御の下、登録処理部１３１の第４の登録部１３１Ｄが機能し、共通データとアドレスデータはアドレスデータ記憶部１０６に、番号計画データは番号計画データ記憶部１０７に、それぞれ登録する（ステップＳ３８）。なお、自機用の番号計画データは、マスター主装置１Ａからは提供されないので、番号計画データ記憶部１０７に存在するものを使い続ける。
【０１１７】
また、マスター主装置１Ａは、接続要求元以外の既に電話システムを構成しているスレーブ主装置に対して、この例の場合にはスレーブ主装置１Ｂに対して、接続要求元のスレーブ主装置１Ｃについてのシステム情報を配布する（ステップＳ３９）。具体的に、マスター主装置１Ａは、制御部１２０の制御の下、配布処理部１３２の第２の配布部１３２Ｂが機能し、アドレスデータ記憶部１０６に登録したスレーブ主装置１ＣについてのアドレスデータであるＩＰアドレス、システム番号、システム名称、優先順位を、スレーブ主装置１Ｂに対して配布する。また、マスター主装置１Ａは、制御部１２０の制御の下、配布処理部１３２の第２の配布部１３２Ｂが機能し、番号計画データ記憶部１０７に登録してあるスレーブ主装置１Ｃについての番号計画、すなわち、システム番号が「００３」の番号計画を、スレーブ主装置１Ｂに対して配布する。
【０１１８】
そして、既存のスレーブ主装置１Ｂは、制御部１２０の制御の下、登録処理部１３１の第４の登録部１３１Ｄが機能し、スレーブ主装置１Ｃについてのアドレスデータはアドレスデータ記憶部１０６に、番号計画データは番号計画データ記憶部１０７に、それぞれ登録する（ステップＳ４０）。
【０１１９】
これにより、マスター主装置１Ａ、スレーブ主装置１Ｂ、１Ｃのそれぞれに、電話システムを構成するマスター主装置１Ａ、スレーブ主装置１Ｂ、１Ｃの共通データと番号計画が登録され、接続環境が整えられる。そして、図７には図示しないが、例えば、スレーブ主装置１Ｃからスレーブ主装置１Ｂに対して、スレーブ主装置１ＢのＩＰアドレスとパスワードを用いてアクセスすることにより、スレーブ主装置１Ｃとスレーブ主装置１Ｂとの間にもＩＰ網２００Ａを通じて通信路が接続される。これにより、主装置１Ａ、１Ｂ、１Ｃは相互にＩＰ網２００Ａを通じて通信路が接続され、相互に内線通話を行うことができるようになる。
【０１２０】
[接続要求元の主装置１Ｃにある自番号計画の利用が禁止される場合の動作（処理）]
図８は、支社２に設置された主装置１Ｃが接続要求元となる場合であって、主装置１Ｃに番号計画データが存在し、当該番号計画データの利用が禁止される場合の電話システムの動作について説明するためのシーケンス図である。図８に示すシーケンス図においても、二重線で囲んで示したように、主装置１Ｂは、図５を用いて説明した一連の処理により、マスター主装置１Ａに対してスレーブ主装置として登録済みであり、マスター主装置１Ａとの間ではＩＰ網２００Ａを通じて相互に通信路が接続されているものとする。
【０１２１】
そして、図８において、ステップＳ４１〜ステップＳ４３までの処理は、図６に示したステップＳ２１〜ステップＳ２３までの処理と同様に行われる。すなわち、ステップＳ４１の処理では、スレーブ主装置１Ｃは、自機用のＩＰアドレスである例えば「ＹＹＹ．ＹＹＹ．ＹＹＹ．ＹＹ２」を取得し、これを登録処理部１３１の第３の登録部１３１Ｃが機能してアドレスデータ記憶部１０６に登録する。ステップＳ４２の処理では、制御部１２０が、主装置１Ｃのマスター情報メモリ１０８に、マスター主装置１ＡのＩＰアドレスである「ＸＸＸ．ＸＸＸ．ＸＸＸ．ＸＸＸ」と、パスワードである「ＰＷａｂｃ１２…」を登録する。ステップＳ４３の処理では、スレーブ主装置１Ｃは、マスター情報メモリ１０８の登録情報を用いて、マスター主装置１Ａにログインする。
【０１２２】
そして、この例のスレーブ主装置１Ｃは、番号計画データ（自番号計画データ）を保持している。このため、スレーブ主装置１Ｃの制御部１２０は、番号計画データ記憶部１０７から自己の番号計画データを読み出し、これをＩＰ網Ｉ／Ｆ１０２を通じてマスター主装置１Ａに通知する（ステップＳ４４）。そして、この例において、スレーブ主装置１Ｃからマスター主装置１Ａに通知された番号計画データは、図８に示すように、内線番号として２０００番台を用い、特番として９０００番台を用いるものであるとする。すなわち、スレーブ主装置１Ｃが保持する自己番号計画データは、図４を用いて説明したように、既にシステム番号が「００２」のスレーブ主装置１Ｂに対して割り当てられているものである。
【０１２３】
マスター主装置１Ａでは、図７に示したステップＳ３５の処理と同様に、認証、登録、判別の各処理を行う（ステップＳ４５）。すなわち、マスター主装置１Ａの制御部１２０は、まず、パスワードに基づいて認証を行う。ここで、認証が得られれば、スレーブ主装置１Ｃからの接続要求に含まれるＩＰアドレスをアドレスデータ記憶部１０６に登録する。この登録では、図３を用いて説明したように、アドレスデータ記憶部１０６の上から３番目のデータのＩＰアドレス欄に登録され、スレーブ主装置１Ｃには、システム番号「００３」、システム名称「システム３」、優先順位「第３位」が割り当てられる。
【０１２４】
さらに、制御部１２０は、スレーブ主装置１Ｃから提供された番号計画データと、番号計画データ記憶部１０７に登録されている各番号計画データとの突合せを行い、スレーブ主装置１Ｃから提供された番号計画データが利用可能なものか否かを判別する。上述したように、この例において、スレーブ主装置１Ｃからの番号計画は、既にスレーブ主装置１Ｂに対して割り当てられた内線番号として２０００番台を利用するものであるので利用を許可できないものである。
【０１２５】
このため、ステップＳ４５の判別処理で、スレーブ主装置１Ｃから送信されてきた番号計画データが、そのままスレーブ主装置１Ｃの番号計画データとしては利用不能であると判別される。この場合、マスター主装置１Ａの制御部１２０は、当該番号計画データの利用禁止を示すメッセージを形成して、送信元のスレーブ主装置１Ｃに送信する（ステップＳ４６）。
【０１２６】
この後、マスター主装置１Ａにおいては、制御部１２０の制御の下、配布処理部１３２の第１の配布部１３２Ａが機能し、システム情報を接続要求元のスレーブ主装置１Ｃに配布する（ステップＳ４７）。このステップＳ４７では、グループＩＤとパスワードからなる共通データとアドレスデータと番号計画データとからなるシステム情報が、マスター主装置１Ａからスレーブ主装置１Ｃに配布される。この場合のアドレスデータは、スレーブ主装置１Ｃのシステム番号、システム名称、優先順位と、既に電話システムを構成しているマスター主装置１Ａとスレーブ主装置１ＢのＩＰアドレス、システム番号、システム名称、優先順位である。
【０１２７】
また、この場合の番号計画データは、マスター主装置１Ａとスレーブ主装置１Ｂとスレーブ主装置１Ｃのそれぞれの番号計画データである。スレーブ主装置１Ｃの番号計画データは、スレーブ主装置１Ｃが既に保持しているものをそのまま用いることができない。このため、マスター主装置１Ａは、番号計画データ記憶部１０７のスレーブ主装置１Ｃ用の番号計画データであるシステム番号が「００３」の番号計画データをスレーブ主装置１Ｃにスレーブ主装置１Ｃ用の番号計画データとして提供する。
【０１２８】
そして、接続要求元のスレーブ主装置１Ｃは、制御部１２０の制御の下、登録処理部１３１の第４の登録部１３１Ｄが機能し、共通データとアドレスデータとは、アドレスデータ記憶部１０６に、番号計画データは番号計画データ記憶部１０７に、それぞれ登録する（ステップＳ４８）。
【０１２９】
この場合、スレーブ主装置１Ｃの番号計画データ記憶部１０７においては、マスター主装置１Ａとスレーブ主装置１Ｂとの番号計画データは追加記録する。そして、スレーブ主装置１Ｃが保持していた自番号計画データ（内線番号が２０００番台、特番が９０００番台の番号計画データ）は破棄し、マスター主装置１Ａから提供されたシステム番号が「００３」の番号計画データを上書き記録する。これにより、スレーブ主装置１Ｃにおいては、マスター主装置１Ａから配布された内線番号が３０００番台で、特番が９０００番台の番号計画データを自番号計画データとして使用することになる。
【０１３０】
また、マスター主装置１Ａは、接続要求元以外の既に電話システムを構成しているスレーブ主装置に対して、この例の場合にはスレーブ主装置１Ｂに対して、接続要求元のスレーブ主装置１Ｃについてのシステム情報を配布する（ステップＳ４９）。具体的に、マスター主装置１Ａは、制御部１２０の制御の下、配布処理部１３２の第２の配布部１３２Ｂが機能し、アドレスデータ記憶部１０６に登録したスレーブ主装置１ＣについてのアドレスデータであるＩＰアドレス、システム番号、システム名称、優先順位を、スレーブ主装置１Ｂに対して配布する。また、マスター主装置１Ａは、制御部１２０の制御の下、配布処理部１３２の第２の配布部１３２Ｂが機能し、番号計画データ記憶部１０７に登録してあるスレーブ主装置１Ｃについての番号計画データ、すなわち、システム番号が「００３」の番号計画データを、スレーブ主装置１Ｂに対して配布する。
【０１３１】
そして、既存のスレーブ主装置１Ｂは、制御部１２０の制御の下、登録処理部１３１の第４の登録部１３１Ｄが機能し、スレーブ主装置１Ｃについてのアドレスデータはアドレスデータ記憶部１０６に、番号計画データは番号計画データ記憶部１０７に、それぞれ登録する（ステップＳ５０）。
【０１３２】
これにより、マスター主装置１Ａ、スレーブ主装置１Ｂ、１Ｃのそれぞれに、電話システムを構成するマスター主装置１Ａ、スレーブ主装置１Ｂ、１Ｃのシステム情報が登録され、接続環境が整えられる。そして、図８には図示しないが、例えば、スレーブ主装置１Ｃからスレーブ主装置１Ｂに対して、スレーブ主装置１ＢのＩＰアドレスとパスワードを用いてアクセスすることにより、スレーブ主装置１Ｃとスレーブ主装置１Ｂとの間にもＩＰ網２００Ａを通じて通信路が接続される。これにより、主装置１Ａ、１Ｂ、１Ｃは相互にＩＰ網２００Ａを通じて通信路が接続され、相互に内線通話を行うことができるようになる。
【０１３３】
図５〜図８を用いて説明したように、この実施形態の電話システムにおいては、１つの主装置をマスター主装置とし、その他の主装置をスレーブ主装置とする。そして、スレーブ主装置からマスター主装置にアクセスして接続要求を送信することにより、マスター主装置が電話システムを形成するために必要となるシステム情報を接続要求元のスレーブ主装置や既に電話システムを構成しているスレーブ主装置に配布する。これにより、工事担当者等は、各主装置に対して詳細なシステム情報を設定する作業を行わなくても、電話システムを構成するために必要となる情報をマスター主装置が各スレーブ主装置に配布するので、ほぼ自動的に電話システムを構成できる。
【０１３４】
[内線電話処理]
上述したようにして構成されるこの実施の形態の電話システムにおいて、１のボタン電話システムの電話機から他のボタン電話システムの電話機に内線電話を掛ける場合の動作（処理）について説明する。図９は、マスター主装置１ＡにＬＡＮ接続された電話機２Ａ（１）からスレーブ主装置１ＢにＬＡＮ接続された電話機２Ｂ（１）に内線電話を掛ける場の動作（処理）について説明するためのシーケンス図である。
【０１３５】
マスター主装置１Ａのアドレスデータ記憶部１０６には、図３に示したように、この実施形態の電話システムを構成する各主装置の共通データ（グループＩＤ、パスワード）とアドレスデータ（ＩＰアドレス、システム番号、システム名称、優先順位）が登録されている。また、マスター主装置１Ａの番号計画データ記憶部１０７には、図４に示したように、この実施形態の電話システムを構成する各主装置の番号計画データが登録されている。
【０１３６】
また、スレーブ主装置１Ｂ、１Ｃのアドレスデータ記憶部１０６にも、マスター主装置１Ａのアドレスデータ記憶部１０６に記憶されている共通データとアドレスデータとが登録されている。ただし、アドレスデータの登録順は最上位に自機のアドレスデータが位置するようになっている。また、スレーブ主装置１Ｂ、１Ｃの番号計画データ記憶部１０７にも、マスター主装置１Ａの番号計画データ記憶部１０７と同一の番号計画データが登録されている。
【０１３７】
この場合に、マスター主装置１ＡにＬＡＮ接続されている内線番号が１０００番の電話機２Ａ（１）において「２０００番」がダイヤルされ、内線番号が２０００番の電話機に対して内線電話が掛けられたとする。この場合、発呼元の電話機２Ａ（１）は、内線２０００番への発呼メッセージを形成し、ＬＡＮを通じて自ボタン電話システムの主装置１Ａに送信する（ステップＳ５１）。発呼メッセージを受信した主装置１Ａは、内線番号２０００番はどのボタン電話システムの電話機かを特定する（ステップＳ５２）。
【０１３８】
ステップＳ５２において、主装置１Ａの制御部１２０は、番号計画データ記憶部１０７の各番号計画データを参照し、内線２０００番の電話機が接続されたボタン電話システムのシステム番号を特定する。そして、発呼元の主装置１Ａは、発呼元をシステム番号「００１」の内線番号が１０００番の電話機とし、着信先をシステム番号「００２」の内線番号が２０００番の電話機とする発呼要求を形成し、ＩＰ網２００Ａを通じて接続されている通信路を通じて主装置１Ｂに送信する（ステップＳ５３）。
【０１３９】
着信先の主装置１Ｂの制御部１２０は、主装置１Ｂからの発呼要求を受信すると、内線番号が２０００番の電話機を呼び出す呼び出しメッセージを形成し、ＬＡＮを通じて内線番号が２０００番の電話機に送信する（ステップＳ５４）。当該呼び出しメッセージを受信した内線番号が２０００番の電話機２Ｂ（１）においては、当該呼び出しメッセージに応じて、内線番号が１０００番からの着信が発生したことを表示部に表示すると共に、着信音を鳴動させる（ステップＳ５５）。
【０１４０】
この後、内線番号が２０００番の電話機２Ｂ（１）において、応答操作（オフフック操作）が行われると、電話機２Ｂ（１）は内線番号が１０００番の電話機に対する応答通知メッセージを形成し、ＬＡＮを通じて主装置１Ｂに送信する（ステップＳ５６）。主装置１Ｂの制御部１２０は、当該応答通知メッセージを、ＩＰ網２００Ａを通じて接続されている通信路を通じて主装置１Ａに送信する（ステップＳ５７）。
【０１４１】
主装置１Ａは、主装置１Ｂからの応答通知メッセージを、ＬＡＮを通じて発呼元の電話機２Ａ（１）に通知する（ステップＳ５８）。これにより、発呼元の電話機２Ａ（１）と着信先の電話機２Ｂ（１）との間に、ＬＡＮ及びＩＰ網２００Ａを通じて通話回線が接続され、通話を行うことができるようにされる（ステップＳ５９）。
【０１４２】
この後、例えば、内線番号が１０００番の電話機２Ａ（１）において、通話の終了操作（オンフック操作）が行われると、電話機２Ａ（１）は内線番号が２０００番の電話機に対する切断通知メッセージを形成し、ＬＡＮを通じて主装置１Ａに送信する（ステップＳ６０）。主装置１Ａの制御部１２０は、当該切断通知メッセージを、ＩＰ網２００Ａを通じて通信路が接続されている主装置１Ｂに送信する（ステップＳ６１）。
【０１４３】
主装置１Ｂは、主装置１Ａからの切断通知メッセージを、ＬＡＮを通じて着信先の電話機２Ｂ（１）に通知する（ステップＳ６２）。この後、主装置１Ｂは、通話回線の解放通知メッセージを形成して、これを主装置１Ａに送信する（ステップＳ６３）。主装置１Ａは、当該解放通知メッセージを、ＬＡＮを通じて発呼元の電話機２Ａ（２）に送信する（ステップＳ６４）。これにより、発呼元の電話機２Ａ（１）と着信先の電話機２Ｂ（１）との間に接続された通話回線が解放される。
【０１４４】
このように、この実施の形態の電話システムでは、閉番号方式の番号計画がマスター主装置１Ａによって適切に各スレーブ主装置に配布される。他のボタン電話システムの電話機へも内線番号を入力するだけで内線電話を掛けることができる。
【０１４５】
[実施の形態の効果]
この実施形態の電話システムによれば、マスター主装置１Ａを中心として、各スレーブ主装置に対して、当該電話システムを構成するマスター主装置や各スレーブ主装置についてのシステム情報を提供して登録できるようにしている。これにより、共通データ、アドレスデータ、番号計画データなどからなるシステム情報を、各スレーブ主装置に対して、工事担当者や電話システムの使用者が手動で直接に登録することなく、ほぼ自動的に登録して、電話システムを簡単かつ適切に構成できる。
【０１４６】
換言すれば、ＩＰ網２００Ａを通じて接続される複数のボタン電話システムの主装置のそれぞれに対して、各ボタン電話システムが必要とするアドレスデータや例えば閉番号方式の番号計画データなどのシステム情報を適切に登録でき、ＩＰ網２００Ａを通じたボタン電話システム間の接続を容易に行うことができる。
【０１４７】
[変形例等]
なお、上述した実施の形態では、主装置１Ａをマスター主装置とし、主装置１Ｂ、１Ｃをスレーブ主装置としたが、これに限るものではない。主装置１Ｂ、１Ｃもまた、マスター主装置となる機能を備えている。また、電話システムを構成する主装置の数も特に制限されるものではない。また、マスター主装置とスレーブ主装置とが固定的に定められる場合には、マスター主装置となる主装置には、マスター主装置としての機能だけを搭載し、スレーブ主装置となる主装置には、スレーブ主装置としての機能だけを搭載するように構成することもできる。マスター主装置としてだけの機能を備える場合には、登録処理部１３１の第１、第２の登録部１３１Ａ、１３１Ｂと、配布処理部１３２を設けるようにすればよい。また、スレーブ主装置としてだけの機能を備える場合には、登録処理部１３１の第３、第４の登録部１３１Ｃ、１３１Ｄを設けるようにすればよい。
【０１４８】
また、上述した実施の形態では、マスター主装置１Ａに対して予め設定されるシステム情報は、外部Ｉ／Ｆ１１１及び外部端子１１２を通じて接続されるＰＣを通じて登録するものとして説明したが、これに限るものではない。例えば、ＩＰ網２００Ａ上に設けられる所定のサーバ装置にシステム情報を用意し、マスター主装置１Ａが当該サーバ装置にアクセスして、予め決められるシステム情報をダウンロードするようにしてもよい。同様に、各スレーブ主装置に登録するマスター主装置のＩＰアドレスやパスワードなどのマスター主装置に関する情報についても、ＩＰ網２００Ａ上の所定のサーバ装置に用意しておく。そして、各スレーブ主装置が当該サーバ装置にアクセスして、用意されているマスター主装置に関する情報をダウンロードするようにしてもよい。このようにする場合には、マスター主装置やスレーブ主装置にデータのダウンロード用のソフトウェアを搭載し、必要に応じてこれを実行するようにすればよい。
【０１４９】
また、上述した実施の形態では、本社（東京）の主装置１Ａと、支社１（東北）の主装置１Ｂと、支社２（関西）の主装置１Ｃとから電話システムを構成するものとして説明した。しかし、これに限るものではない。例えば、関東地方、東北地方、関西地方のそれぞれには、複数の支店が存在し、それらの支店にも主装置が設置され、支店に設置された主装置もＩＰ網２００Ａを通じて通信路を接続して電話システムを構築するようにできる。
【０１５０】
この場合には、共通データに含まれるグループＩＤも用いるようにする。すなわち、関東地方に位置する本社、支社、支店に配置される主装置には、関東地方を示すグループＩＤを付与する。また、東北地方に位置する本社、支社、支店に配置される主装置には、東北地方を示すグループＩＤを付与する。また、関西地方に位置する本社、支社、支店に配置される主装置には、関西地方を示すグループＩＤを付与する。
【０１５１】
このようにすれば、当該電話システムにおいて、ボタン電話システム間で内線電話を掛ける場合に、入力された着信先の内線番号に基づいて、着信先の電話機が属するグループのグループＩＤと、ボタン電話システムのシステム番号とを特定する。これにより、着信先がどのグループのどのボタン電話システムに属するのかを適切に把握し、迅速に通信路を接続するように制御することが可能となる。なお、この場合には、アドレスデータ記憶部１０６には、グループＩＤ毎に、アドレスデータを記憶するようにすればよい。
【０１５２】
また、上述した実施の形態では、マスター主装置になるための優先順位が設定されていた。このため、上述した実施の形態の場合に、本社に設置された主装置１Ａが、何等かの原因により可動不能になった場合には、有線順位が「第２位」の主装置１Ｂがマスター主装置となることにより、新たに設置される主装置が電話システムに加われないといった不都合を回避できる。
【０１５３】
また、上述した実施の形態においては、ＩＰ網２００Ａを通じて主装置間を接続して広域の電話システムを構築する場合を例にして説明したが、例えば、専用線などのＩＰ網２００Ａ以外のネットワークを通じて主装置間を接続し、電話システムを構築する場合にも、この発明を適用できる。この場合に、アドレスデータは、例えば、代表電話番号などの主装置を特定可能な識別情報を含むことになる。
【０１５４】
[その他]
特許請求の範囲におけるマスター電話制御装置の機能は、マスター主装置１Ａが実現し、スレーブ電話制御装置の機能は、スレーブ主装置１Ｂ、１Ｃが実現している。そして、特許請求の範囲のマスター電話制御装置における、記憶手段の機能は、マスター主装置１Ａのアドレスデータ記憶部１０６、番号計画データ記憶部１０７からなるシステム情報記憶部が実現する。同第１、第２の登録手段の機能は、マスター主装置１Ａの登録処理部１３１の第１、第２の登録部１３１Ａ、１３１Ｂが実現する。同第１、第２の配布手段の機能は、マスター主装置１の配布処理部１３２の第１、第２の配布部１３２Ａ、１３２Ｂが実現する。また、同受付手段の機能は、マスター主装置１Ａの例えば外部Ｉ／Ｆ１１１及び外部端子１１２等が実現する。また、同判別手段の機能は、マスター主装置１Ａの例えば制御部１２０が実現する。
【０１５５】
また、特許請求の範囲のスレーブ電話制御装置における、システム情報記憶手段の機能は、スレーブ主装置１Ｂ、１Ｃのアドレスデータ記憶部１０６、番号計画データ記憶部１０７からなるシステム情報記憶部が実現する。また、同第３、第４の登録手段の機能は、スレーブ主装置１Ｂ、１Ｃの登録処理部１３１の第３、第４の登録部１３１Ｃ、１３１Ｄが実現する。また、接続要求元のスレーブ電話制御装置のマスター情報記憶手段の機能は、スレーブ主装置１Ｂ、１Ｃのマスター情報メモリ１０８が実現する。同接続要求手段の機能は、スレーブ主装置１Ｂ、１Ｃの制御部１２０とＩＰ網Ｉ／Ｆ１０２とが協働して実現する。
【０１５６】
また、図５〜図８のシーケンス図を用いて説明した電話システムの動作（処理）に対応する方法が、この発明のシステム情報設定方法の一実施の形態が適用されたものである。また、図５〜図８のシーケンス図を用いて説明した電話システムの動作（処理）において、マスター主装置１Ａと、スレーブ主装置１Ｂ、１Ｃで行われる処理を実行するプログラムを作成し、これを主装置に搭載することにより、この発明のマスター主装置やスレーブ主装置を構成することもできる。
【０１５７】
すなわち、図２に示した登録処理部１３１、配布処理部１３２、制御部１２０が実現する判別部の機能は、制御部１２０で実行されるプログラム（ソフトウェア）によって実現することが可能である。
【符号の説明】
【０１５８】
１Ａ、１Ｂ、１Ｃ…主装置、１０１…ＩＰ網への接続端子、１０２…ＩＰ網Ｉ／Ｆ、１０３…パケット分解／生成部、１０４…電話網Ｉ／Ｆ、１０５…電話網への接続端子、１０６…アドレスデータ記憶部、１０７…番号計画データ記憶部、１０８…マスター情報メモリ、１０９…ＬＡＮＩ／Ｆ、１１０…ＬＡＮへの接続端子、１１１…外部Ｉ／Ｆ、１１２…外部端子、１２０…制御部、１３１…登録処理部、１３１Ａ…第１の登録部、１３１Ｂ…第２の登録部、１３１Ｃ…第３の登録部、１３１Ｄ…第４の登録部、１３２…配布処理部、１３２Ａ…第１の配布部、１３２Ｂ…第２の配布部、１３３…接続状態通知処理部、２Ａ（１）、２Ａ（２），…電話機、２Ｂ（１）、２Ｂ（２），…電話機、２Ｃ（１）、２Ｃ（２）、…電話機
【図１】
0006414436.tif 000002
【図２】
0006414436.tif 000003
【図３】
0006414436.tif 000004
【図４】
0006414436.tif 000005
【図５】
0006414436.tif 000006
【図６】
0006414436.tif 000007
【図７】
0006414436.tif 000008
【図８】
0006414436.tif 000009
【図９】
0006414436.tif 000010